(57)【要約】【課題】制約や煩雑性を伴うことなく特殊効果（フィルター効果）を撮影画像に付与することのできるカメラ装置を提供する。【解決手段】カメラ本体２はその正面側にレンズ３及びＬＥＤ群５を有する。このＬＥＤ群５は、赤色ＬＥＤ５１Ｒ〜５５Ｒ、緑色ＬＥＤ５１Ｇ〜５５Ｇ、及び青色ＬＥＤ５１Ｂ〜５５Ｂで構成され、ＭＰＵの制御により、個々に点灯及び消灯が可能であるのみならず、個々に発光量も可変である。したがって、ＬＥＤ群５は、赤色ＬＥＤ５１Ｒ〜５５Ｒ、緑色ＬＥＤ５１Ｇ〜５５Ｇ、青色ＬＥＤ５１Ｂ〜５５Ｂの点灯、消灯及び発光量により、あらゆる色の発光及び同一色であっても濃度が異なる色の発光が可能である。よって、所望の色を被写体に照射して撮影を行うことができ、複数のフィルターを携帯したり、フィルター交換作業を要することなく、容易に特殊効果を撮影画像に付与することができる。【選択図】      図１
2006285274.tif 000002
【特許請求の範囲】
【請求項１】
カメラ本体に配置され赤、緑、青の発色光を被写体に照射する複数の発光ダイオードからなる発光手段と、
これら複数の発光ダイオードの少なくとも一つの発光量を可変的に設定する設定手段と、
この設定手段により設定された発光量に従って、撮影時における前記複数の発光ダイオードの発光量を制御する制御手段と
を備えることを特徴とするカメラ装置。
【請求項２】
前記設定手段は、操作入力に応じて前記複数の発光ダイオードの発光量を設定することを特徴とする請求項１記載のカメラ装置。
【請求項３】
前記操作入力により設定される発光量で、操作入力時にも前記発光ダイオードを発光させることを特徴とする請求項２記載のカメラ装置。
【請求項４】
前記操作入力は、表示手段に表示される色サンプルを選択する選択入力であり、
前記設定手段は、選択入力された前記色サンプルに応じて、当該色サンプルが示す色を発光させるための複数の発光ダイオードの発光量を設定することを特徴とする請求項２記載のカメラ装置。
【請求項５】
前記設定手段は、撮影モードに応じて前記複数の発光ダイオードの発光量を設定すること特徴とする請求項１記載のカメラ装置。
【請求項６】
前記設定手段は、前記カメラ本体に設けられている撮像手段により取り込まれる画像成分を分析して、その分析結果に基づき前記複数の発光ダイオードの最適な発光量を設定することを特徴とする請求項１記載のカメラ装置。
【請求項７】
前記設定手段は、前記カメラ本体に設けられている撮像手段により予め撮像された画像の色に基づき、当該色を発光させるための複数の発光ダイオードの発光量を設定することを特徴とする請求項１記載のカメラ装置。
【請求項８】
カメラ本体に配置され赤、緑、青の発色光を被写体に照射する複数の発光ダイオードからなる発光手段を制御する発光制御方法であって、
これら複数の発光ダイオードの少なくとも一つの発光量を可変的に設定する設定ステップと、
この設定ステップで設定された発光量に従って、撮影時における前記複数の発光ダイオードの発光量を制御する制御ステップと
を含むことを特徴とするカメラ装置における発光制御方法。
【発明の詳細な説明】
【技術分野】
【０００１】
本発明は、ＬＥＤ(Light Emitting Diode)からの光を被写体に照射して撮影を行うカメラ装置及びカメラ装置における発光制御方法に関する。
【背景技術】
【０００２】
従来、銀塩カメラや電子スチルカメラ等のカメラ装置においては、暗所での撮影時や逆光での撮影時に適正な撮影を可能とするために、ストロボで代表される閃光装置が設けられている。この閃光装置の多くは放電管を利用している。また、レンズの前面に各種フィルターを選択的に装着して撮影することも行われている。各種フィルターを選択的に用いることにより、撮影画像を実際の目で見た画像とは雰囲気が異なるものとしたり画像に色を付加する等、使用したフィルターに対応する特殊効果（フィルター効果）を撮影画像に付与することができる。
【発明の開示】
【発明が解決しようとする課題】
【０００３】
しかしながら、放電管を利用した閃光装置は、その閃光のためにコンデンサに電力をチャージする必要がある。したがって、コンデンサに電力をチャージしている間は発光できないという制約があり、シャッターチャンスを失ってしまう場合がある。
【０００４】
また、フィルターをレンズの前面に装着して所望の特殊効果を得るには、使用するであろう複数のフィルターを常に携帯する必要があり、煩雑となってしまう。さらに、現在レンズ前面に装着されているフィルターを他のフィルターに交換する交換作業を要することから、この点においても煩雑であるとともに、交換作業時間を要することによりシャッターチャンスを失ってしまう場合もあった。
【０００５】
本発明は、かかる従来の課題に鑑みてなされたものであり、制約や煩雑性を伴うことなく特殊効果（フィルター効果）を撮影画像に付与することのできるカメラ装置を提供することを目的とする。
【課題を解決するための手段】
【０００６】
前記課題を解決するために請求項１の発明にあっては、カメラ本体に配置され赤（Ｒ）、緑（Ｇ）、青（Ｂ）の発色光を被写体に照射する複数の発光ダイオードからなる発光手段と、これら複数の発光ダイオードの少なくとも一つの発光量を可変的に設定する設定手段と、この設定手段により設定された発光量に従って、撮影時における前記複数の発光ダイオードの発光量を制御する制御手段とを備える。
【０００７】
つまり、この発明は、複数の発光ダイオードからなる発光手段を撮影時の閃光装置として用いるものである。したがって、閃光装置としてストロボを用いた場合のように、コンデンサに電力をチャージしている間は発光できないという制約がなく、シャッターチャンスを失ってしまうこともない。
【０００８】
また、赤、緑、青の発色光を被写体に照射する複数の発光ダイオードの少なくとも一つの発光量を可変的に設定して、撮影時における複数の発光ダイオードの発光量を制御すれば、複数の発光ダイオードからなる発光手段からの発光色が変化する。したがって、所望の色を被写体に照射して撮影を行うことができ、複数のフィルターを携帯したり、レンズ前面に装着されているフィルターを他のフィルターに交換する交換作業を要することなく、撮影者が所望する特殊効果を撮影画像に付与することができる。
【０００９】
また、請求項２記載の発明にあっては、前記設定手段は、操作入力に応じて前記複数の発光ダイオードの発光量を設定する。したがって、撮影者は操作入力により、発光手段から被写体に照射される光の色を任意に変化させることができ、これにより撮影者が所望する特殊効果が撮影画像に付与される。
【００１０】
また、請求項３記載の発明にあっては、前記操作入力により設定される発光量で、操作入力時にも前記発光ダイオードを発光させる。したがって撮影者は、複数の発光ダイオードからの発光により生成される発光色を目で確認しつつ、所望の発光色設定することが可能となる。
【００１１】
また、請求項４記載の発明にあっては、前記操作入力は、表示手段に表示される色サンプルを選択する選択入力であり、前記設定手段は、選択入力された前記色サンプルに応じて、当該色サンプルが示す色を発光させるための複数の発光ダイオードの発光量を設定する。したがって、表示手段に表示される色サンプルを選択する簡単な操作により、発光手段から選択した色サンプルが示す色の光を発光手段から被写体に照射させ得る。
【００１２】
また、請求項５記載の発明にあっては、前記設定手段は、撮影モードに応じて前記複数の発光ダイオードの発光量を設定する。したがって、「人物撮影モード」や「マクロ撮影モード」等の撮影モードが設定された場合には、これら撮影モードに適した複数の発光ダイオードの発光量が設定されて、撮影時における発光量を制御されて、通常の撮影とは異なる雰囲気の画像を容易に撮影することができる。
【００１３】
また、請求項６記載の発明にあっては、前記設定手段は、前記カメラ本体に設けられている撮像手段により取り込まれる画像成分を分析して、その分析結果に基づき前記複数の発光ダイオードの最適な発光量を設定する。よって、撮影モードに関係なくどのような撮影モードの時であっても、容易に見栄えのよい画像を撮影することができる。
【００１４】
また、請求項７記載の発明にあっては、前記設定手段は、前記カメラ本体に設けられている撮像手段により予め撮像された画像の色に基づき、当該色を発光させるための複数の発光ダイオードの発光量を設定する。したがって、入力操作による設定では困難な中間色発光も自動設定することができる。
【００１５】
また、請求項８記載の発明にあっては、カメラ本体に配置され赤、緑、青の発色光を被写体に照射する複数の発光ダイオードからなる発光手段を制御する発光制御方法であって、これら複数の発光ダイオードの少なくとも一つの発光量を可変的に設定する設定ステップと、この設定ステップで設定された発光量に従って、撮影時における前記複数の発光ダイオードの発光量を制御する制御ステップとを含む。したがって、この請求項８記載の発明によれば、記載したステップでＭＰＵ等に処理を実行させることにより、請求項１に記載した発明と同様の効果を得ることが可能となる。
【発明の効果】
【００１６】
以上説明したように本発明は、複数の発光ダイオードからなる発光手段を撮影時の閃光装置として用いるようにしたことから、発光できないという制約がなく、シャッターチャンスを失ってしまう不都合を解消することができる。また、所望の色を被写体に照射して撮影を行うことができることから、複数のフィルターを携帯したり、フィルター交換作業を要することなく、容易に特殊効果を撮影画像に付与することができる。
【００１７】
また、複数の発光ダイオードの発光量を設定するための操作入力時にも発光を行うようにしたことから、複数の発光ダイオードからの発光により生成される発光色を目で確認しつつ設定を行うことができ、容易かつ正確に所望の発光色設定が可能となる。
【００１８】
また、選択された色サンプルに応じて、当該色サンプルが示す色を発光させるための複数の発光ダイオードの発光量を設定するようにしたことから、色サンプルを選択する簡単な操作により、選択した色サンプルが示す色の光を被写体に照射して撮影を行うことができる。
【００１９】
また、撮影モードに応じて複数の発光ダイオードの発光量を設定するようにしたことから、フィルター効果に関する知識がない撮影者であっても、通常の撮影とは異なる雰囲気の画像を容易に撮影することができる。
【００２０】
また、カメラ本体に取り込まれる画像成分を分析して、その分析結果に基づき複数の発光ダイオードの最適な発光量を設定するようにしたことから、撮影者は特に意識することなく、しかも撮影モードに関係なくどのような撮影モードの時であっても、容易に見栄えのよい画像を撮影することができる。
【００２１】
また、予め撮像された画像の色に基づき、当該色を発光させるための複数の発光ダイオードの発光量を設定するようにしたことから、入力操作による設定では困難な中間色発光も自動設定することができ、容易に微妙な色の発光設定が可能となる。
【発明を実施するための最良の形態】
【００２２】
以下、本発明の一実施の形態を図にしたがって説明する。図１〜３は、本実施の形態にかかる電子スチルカメラ１の外観を示す図であって、図１は正面図、図２は平面図、図３は背面図である。
【００２３】
図１に示すように電子スチルカメラ１は、カメラ本体２の正面側にレンズ３、調光センサ４、及びＬＥＤ(Light Emitting Diode)群５を有する。このＬＥＤ群５は、発光色が赤である赤色ＬＥＤ５１Ｒ〜５５Ｒ、発光色が緑である緑色ＬＥＤ５１Ｇ〜５５Ｇ、及び発光色が青である青色ＬＥＤ５１Ｂ〜５５Ｂで構成され、各々５個ずつ水平方向に配列されている。これら赤色ＬＥＤ５１Ｒ〜５５Ｒ、緑色ＬＥＤ５１Ｇ〜５５Ｇ、青色ＬＥＤ５１Ｂ〜５５Ｂは、後述するＭＰＵ１９の制御により、個々に点灯及び消灯が可能であるのみならず、個々に発光量も可変である。したがって、ＬＥＤ群５は、赤色ＬＥＤ５１Ｒ〜５５Ｒ、緑色ＬＥＤ５１Ｇ〜５５Ｇ、青色ＬＥＤ５１Ｂ〜５５Ｂの点灯、消灯及び発光量（以下、点灯、消灯及び発光量を総称して単に発光量という。）により、あらゆる色の発光及び同一色であっても濃度が異なる色の発光が可能である。
【００２４】
図２に示すようにカメラ本体２の上面には、撮影ダイアル６、電源／ファンクションスイッチ７、シャッターキー８、コントロールパネル９、及び複数の機能キー１０が設けられている。撮影ダイアル６は、「人物撮影モード」「マクロ撮影モード」等の撮影モードを設定するためのダイアルである。また、図３に示すように背面には、メニューキー１１、カーソルキー１２、セットキー１３、液晶モニター・スイッチ１４、光学ファインダ１５、及びＴＦＴ液晶モニター１６が設けられている。
【００２５】
図４は、電子スチルカメラ１の電気的構成の概略を示すブロック構成図である。電子スチルカメラ１は、撮像手段であるＣＣＤ１７により撮像した画像をＪＰＥＧ形式に変換する等の画像処理機能を備えたＭＰＵ１９を中心に構成されている。ＣＣＤ１７の受光面には、前記レンズ３、フォーカスレンズ２０、絞り２１を通過して被写体の光学像が結像される。フォーカスレンズ２０はＡＦモータ等からなる駆動機構２２に保持されており、ＭＰＵ１９からの制御信号によりＡＦドライバー２３が出力する駆動信号が駆動機構２２に供給されることにより光軸上を前後に移動する合焦動作を行う。絞り２１は、ＭＰＵ１９からの制御信号に基づき絞り駆動部２４が発生する駆動信号により駆動し、ＣＣＤ１７に入射する被写体像の光量を調整する。
【００２６】
また、ＭＰＵ１９には、タイミング信号を発生するＴＧ（Timing Generator）２５が接続されており、ＴＧ２５が発生したタイミング信号に基づきＶドライバー２６（垂直方向ドライバー）がＣＣＤ１７を駆動し、それに伴いＣＣＤ１７により被写体像の輝度に応じたアナログの撮像信号が出力されユニット回路１８へ送られる。ユニット回路１８は、ＣＣＤ１７から出力された撮像信号を保持するＣＤＳと、ＣＤＳから撮像信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ１７の出力信号は、ここで黒レベルを合わせてサンプリングされデジタル信号としてＭＰＵ１９に送られる。送られたデジタル信号（撮像信号）はＤＲＡＭ２７に一時保存されるとともに、ＭＰＵ１９によって各種の画像処理が施された後、最終的には圧縮された映像信号としてフラッシュメモリ（ＦＬＡＳＨ）２８に保存される。保存された映像信号は、必要に応じてＭＰＵ１９に読み出され、伸長処理、輝度信号及び色信号の付加等の処理を経てデジタルビデオ信号やアナログビデオ信号に生成される。
【００２７】
さらに、ＭＰＵ１９にはＭＲＯＭ２９と、電源回路３０、図１〜３に示した各種のキーやスイッチを含む操作キー部３１、前記ＴＦＴ液晶モニター１６、前記ＬＥＤ群５が接続されている。ＭＲＯＭ２９は、後述するフローチャートに示すＭＰＵ１９の動作プログラムが記録されたプログラムＲＯＭである。また、ＭＲＯＭ２９には撮影時の適正な露出値（ＥＶ）に対応する絞り値（Ｆ）とシャッタースピードとの組み合わせを示すプログラム線図を構成するプログラムＡＥデータが格納されている。
【００２８】
加えて、ＭＲＯＭ２９には、後述する図５（Ｅ）に示すように、「白」「赤」「緑」「黄」「橙」・・・等の色のサンプルと、当該色の光を発生させるための赤色ＬＥＤ５１Ｒ〜５５Ｒ、緑色ＬＥＤ５１Ｇ〜５５Ｇ、青色ＬＥＤ５１Ｂ〜５５Ｂの発光量とが対応して記憶されている。さらに、ＭＲＯＭ２９には、前記撮影ダイアル６の操作により「人物撮影モード」が設定された場合に、人物を見栄えよく撮影できる赤色ＬＥＤ５１Ｒ〜５５Ｒ、緑色ＬＥＤ５１Ｇ〜５５Ｇ、青色ＬＥＤ５１Ｂ〜５５Ｂの発光量と、「マクロ撮影モード」が設定された場合に、接写の被写体を見栄えよく撮影できる赤色ＬＥＤ５１Ｒ〜５５Ｒ、緑色ＬＥＤ５１Ｇ〜５５Ｇ、青色ＬＥＤ５１Ｂ〜５５Ｂの発光量とが記憶されている。
【００２９】
ＭＰＵ１９は、内蔵するＲＡＭをワーキングメモリとして前記動作プログラムに従い動作することにより本発明の設定手段及び制御手段として機能する。また、前記プログラム線図に従って前記ＣＣＤ１７の電荷蓄積時間や、前記絞り２１の開放度、前記ユニット回路１８のゲイン調整アンプ（ＡＧＣ）のゲイン設定等を行う。ＭＰＵ１９が設定した電荷蓄積時間はシャッターパルスとして、ＴＧ２５を介してＶドライバー２６に供給され、これに従いＶドライバー２６がＣＣＤ１７を駆動することにより電荷蓄積時間すなわち露光時間が制御される。つまりＣＣＤ１７は電子シャッターとして機能する。また、ＭＲＯＭ２９に格納された動作プログラムには、オートフォーカス制御に関するプログラムが含まれており、かかるプログラムに基づきＭＰＵ１９は、前記フォーカスレンズ２０を駆動させピント合わせ（オートフォーカス）を行う。
【００３０】
ＴＦＴ液晶モニター１６は、録画モードにおいては逐次撮像された画像をスルー画像として表示し、再生モードにおいては前記フラッシュメモリ２８に記録された画像データから生成されたアナログビデオ信号に基づく映像を表示する。ＬＥＤ群５は、シャッターキー８の操作時（撮影時）に必要に応じて駆動され補助光を発する。
【００３１】
なお、前述したＭＲＯＭ２９に記憶されているプログラムデータ等は、その記録内容の保持が可能であれば、別途固定的に設けたもの、若しくは脱着自在に装着可能なＩＣカード等の他の記録媒体に記録される構成にしてもよく、更に、前記プログラムデータ等をパソコン等の他の機器から供給可能な構成としてもよい。
【００３２】
次に、以上の構成からなる電子スチルカメラ１の動作について説明する。ユーザがメニューキー１１を操作すると、図５（Ａ）に示す「通常発光」「発光設定」・・・等のメニューがＴＦＴ液晶モニター１６に表示される。ここで「通常発光」は、撮影時にＬＥＤ群５を構成する全てのＬＥＤを発光させて通常のフラッシュとして用いる場合の設定であり、「発光設定」は後述するようにＬＥＤ群５を構成するＬＥＤの発光量制御により、フィルターを用いた場合と同様の特殊効果を撮影画像に付与するための設定である。
【００３３】
そして、図５（Ａ）の画面状態においてユーザがカーソルキー１２を操作して「発光設定」上にカーソルを移動させて、セットキー１３を操作すると、「発光設定」が選択されたこととなる。すると、図５（Ｂ）に示す「マニュアル」「撮影シーン」「撮影画像」「予備撮影」からなる次の発光モードのメニュー画面がＴＦＴ液晶モニター１６に表示される。
【００３４】
この状態からＭＰＵ１９は、ＭＲＯＭ２９に格納されているプログラムに従って図６のフローチャートに示す手順で処理を実行する。すなわち、図５（Ｂ）に示した「マニュアル」「撮影シーン」「撮影画像」「予備撮影」のいずれかがユーザに選択（設定）されたかを判断する（ステップＳ１）。そして、前述と同様のカーソルキー１２とセットキー１３の操作により、「マニュアル」が選択された場合にはマニュアルモード処理を実行し（ステップＳ２）、「撮影シーン」が選択された場合には撮影シーン対応モード処理を実行する（ステップＳ３）。また、「撮影画像」が選択された場合には撮影画像対応モード処理を実行し（ステップＳ４）、「予備撮影」が選択された場合には予備撮影モード処理を実行する（ステップＳ５）。
【００３５】
（１）マニュアルモード処理
図５（Ｂ）に示すように「マニュアル」が選択されて、ステップＳ２のマニュアルモード処理が選択されると、図７に示すフローチャートに従ってマニュアルモード処理が実行される。まず、図５（Ｃ）に示す「発光ＯＮ」と「発光ＯＦＦ」とからなる次のメニュー画面がＴＦＴ液晶モニター１６に表示され、この表示状態で、ユーザはカーソルキー１２とセットキー１３の操作により、「発光ＯＮ」又は「発光ＯＦＦ」を選択する（ステップＳ２１）。
【００３６】
「発光する」が選択された場合には、図５（Ｄ）に示すようにＴＦＴ液晶モニター１６には、ＲＥＤ（赤）、ＧＲＥＥＮ（緑）、ＢＬＵＥ（青）毎にメーターを表示させ、このメータ表示させた発光量でＬＥＤ群５を構成する赤色ＬＥＤ５１Ｒ〜５５Ｒ、緑色ＬＥＤ５１Ｇ〜５５Ｇ、青色ＬＥＤ５１Ｂ〜５５Ｂを発光させて、ＲＧＢ各ＬＥＤの発光量を決定する（ステップＳ２２）。
【００３７】
すなわち、図５（Ｄ）に示したように、ＴＦＴ液晶モニター１６にＲＥＤ（赤）、ＧＲＥＥＮ（緑）、ＢＬＵＥ（青）毎のメーターが表示されている状態で、カーソルキー１２を操作すると、これに伴って各メーターの点灯数が変化し、かつ、これに同期して赤色ＬＥＤ５１Ｒ〜５５Ｒ、緑色ＬＥＤ５１Ｇ〜５５Ｇ、青色ＬＥＤ５１Ｂ〜５５Ｂの発光量が変化する。したがって、ユーザはカーソルキー１２を操作し、赤色ＬＥＤ５１Ｒ〜５５Ｒ、緑色ＬＥＤ５１Ｇ〜５５Ｇ、青色ＬＥＤ５１Ｂ〜５５Ｂの発光量を変化させて、メーターを参照しつつ実際に被写体に当たる光の色を観察する。無論、発光させるのはＲＧＢのうち一つだけでもよいし、三色を任意に組み合わせることもできる。そして、所望の色の光が被写体に当たった時点で、セットキー１３を操作すると、ステップＳ２２での処理によりＲＧＢの発光量が決定される。
【００３８】
ここで、ＴＦＴ液晶モニター１６には、図５（Ｄ）に示したような、ＲＥＤ（赤）、ＧＲＥＥＮ（緑）、ＢＬＵＥ（青）毎のメーターだけを表示しても良いが、撮像されたスルー画像の上に重ねて表示するようにしても良い。重ねた表示例としては、スルー画像の全面に重ねて表示しても、スルー画像の右端等に小さくサブ画面のように重ねてもかまわない。ユーザが光に当たっている被写体をスルー画像でも確認することができ、各ＬＥＤの設定が更にやりやすくなる。
【００３９】
しかる後に、シャッターキー８が操作されると、撮影処理が実行されて（ステップＳ２４）、前述のステップＳ２２で決定されたＲＧＢの発光量に従って赤色ＬＥＤ５１Ｒ〜５５Ｒ、緑色ＬＥＤ５１Ｇ〜５５Ｇ、青色ＬＥＤ５１Ｂ〜５５Ｂを発光させて、撮像した画像をフラッシュメモリ２８に保存する。
【００４０】
また、ステップＳ２１での選択の結果、「発光する」が選択されてなかった場合には、色のサンプルメニューからＲＧＢの発光量を決定する（ステップＳ２３）。すなわち、「発光する」が設定されていない場合には、ＴＦＴ液晶モニター１６には、図５（Ｅ）に示すように、「白」「赤」「緑」「黄」「橙」・・・等の色のサンプルが表示される。この表示状態で、カーソルキー１２を操作してカーソルを所望のサンプル上に移動させてセットキー１３を操作により、サンプルメニューからの色の決定がなされる。したがって、この場合にはＬＥＤ群５の点灯及びこれに伴う電力消費がないことから、予め所望の発光色が決定されているならば、「発光する」を選択しない方が好ましい。
【００４１】
この表示される色のサンプルと、当該色の光を発生させるための赤色ＬＥＤ５１Ｒ〜５５Ｒ、緑色ＬＥＤ５１Ｇ〜５５Ｇ、青色ＬＥＤ５１Ｂ〜５５Ｂの発光量との関係は、前述のようにＭＲＯＭ２９に記憶されている。したがって、ステップＳ２３の処理が終了した後、シャッターキー８が操作されて撮影処理が実行されると（ステップＳ２４）、決定された色のサンプルに対応する発光量で赤色ＬＥＤ５１Ｒ〜５５Ｒ、緑色ＬＥＤ５１Ｇ〜５５Ｇ、青色ＬＥＤ５１Ｂ〜５５Ｂが発光している状態で、撮像した画像をフラッシュメモリ２８に保存する。
【００４２】
したがって、以上のマニュアルモード処理によれば、ユーザがＬＥＤの発光量を任意に設定して、所望の色を被写体に投光して撮影を行うことができる。よって、従来にように、複数のフィルターを携帯したり、レンズ前面に装着されているフィルターを他のフィルターに交換する交換作業を要することなく、容易に撮影者が所望する特殊効果を撮影画像に付与することができる。
【００４３】
（２）撮影シーン対応モード処理
前記撮影シーン対応モード処理（ステップＳ３）が選択されると、図８に示すフローチャートに従って撮影シーン対応モード処理が実行される。まず、ユーザの前記撮影ダイアル６の操作により「人物撮影モード」が設定されているか否かを判断する（ステップＳ３１）。「人物撮影モード」が設定されていた場合には、前述のようにＭＲＯＭ２９に記憶されている、「人物撮影モード」が設定されていた場合に、人物を見栄えよく撮影できる赤色ＬＥＤ５１Ｒ〜５５Ｒ、緑色ＬＥＤ５１Ｇ〜５５Ｇ、青色ＬＥＤ５１Ｂ〜５５Ｂの発光量を読み出して設定する（ステップＳ３２）。そして、シャッターキー８が操作されて撮影処理が実行されると（ステップＳ３５）、設定された発光量で赤色ＬＥＤ５１Ｒ〜５５Ｒ、緑色ＬＥＤ５１Ｇ〜５５Ｇ、青色ＬＥＤ５１Ｂ〜５５Ｂが発光している状態で、撮像した画像をフラッシュメモリ２８に保存する。
【００４４】
また、「人物撮影モード」が設定されていない場合には「マクロ撮影モード」が設定されているか否かを判断する（ステップＳ３３）。「マクロ撮影モード」が設定されていた場合には、前述と同様にＭＲＯＭ２９に記憶されている、「マクロ撮影モード」が設定されていた場合に、接写の被写体を見栄えよく撮影できる赤色ＬＥＤ５１Ｒ〜５５Ｒ、緑色ＬＥＤ５１Ｇ〜５５Ｇ、青色ＬＥＤ５１Ｂ〜５５Ｂの発光量を読み出して設定する（ステップＳ３４）。ここで、「マクロ撮影モード」時には、接写によりカメラ本体２が被写体に近づいて影になり易いことを考慮して、ＲＧＢの発光量が設定されている。そして、シャッターキー８が操作されて撮影処理が実行されると（ステップＳ３５）、設定された発光量で赤色ＬＥＤ５１Ｒ〜５５Ｒ、緑色ＬＥＤ５１Ｇ〜５５Ｇ、青色ＬＥＤ５１Ｂ〜５５Ｂが発光している状態で、撮像した画像をフラッシュメモリ２８に保存する。
【００４５】
したがって、この撮影シーン対応モードによれば、「人物撮影モード」及び「マクロ撮影モード」において、各モードに適したＬＥＤの発光が行われて、見栄えのよい撮影を行うことができる。また、フィルター効果に関する知識がないユーザであっても、通常の撮影とは異なる雰囲気の画像を容易に撮影することができる。
【００４６】
なお、本実施の形態における撮影シーン対応モード処理では、予めＭＲＯＭ２９に記憶されている各撮影モードに対応するＲＧＢの発光量を読み出して、ＬＥＤ群５を発光させるようにしたが、後述する撮影画像対応モードの機能を組み合わせて、被写体画像を検出してＲＧＢの発光量を設定するようにしてもよい。これにより、「人物撮影モード」において当該人物の皮膚の色（色白、色黒）に応じた適切なＲＧＢ発光や、逆光を考慮したＲＧＢ発光が可能となる。また、マクロ撮影も同様に被写体が例えば花の場合、色も様々であるので、被写体を検出してから、被写体画像を検出してＲＧＢの発光量を設定するようにしてもよい。
【００４７】
（３）撮影画像対応モード処理
前記撮影画像対応モード（ステップＳ４）が選択されると、図９に示すフローチャートに従って撮影画像対応モード処理が実行される。まず、ＣＣＤ１７からの画像を分析する（ステップＳ４１）。ここで、画像の分析とは、画像全体の色の割合、例えば全体的に黄色い、青い等の判断であり、この分析結果により画像に合うＲＧＢの発光量を決定する（ステップＳ４２）。そして、シャッターキー８が操作されて撮影処理が実行されると（ステップＳ４３）、設定された発光量で赤色ＬＥＤ５１Ｒ〜５５Ｒ、緑色ＬＥＤ５１Ｇ〜５５Ｇ、青色ＬＥＤ５１Ｂ〜５５Ｂが発光している状態で、撮像した画像をフラッシュメモリ２８に保存する。
【００４８】
したがって、この撮影画像対応モードによれば、被写体が真っ赤な花であるとそれに見合うようなＲＧＢ発光がなされ、夕焼けなどの光で全体的に橙色がかった状況である場合には、違和感のない同系色の発光がなされる等のＲＧＢ発光がなされる。よって、前述した撮影シーン対応モードと同様にユーザは特に意識することなく、しかも撮影モードに関係なくどのような撮影モードの時であっても、容易に見栄えのよい画像を撮影することができる。
【００４９】
（４）予備撮影モード処理
前記予備撮影モード（ステップＳ５）が選択されると、図１０に示すフローチャートに従って予備撮影モード処理が実行される。先ず一回目の撮影を行って設定したい色の被写体を撮影する（ステップＳ５１）。つまり、ある色の壁があり、この壁に色と同じ色をＬＥＤ群５により発光させたい場合には、ＬＥＤ群５をＯＦＦにした状態で当該壁を撮影する。次に、撮影した画像から発光色を設定する（ステップＳ５２）。つまり、前記壁が橙色であれば、ＬＥＤ群５の発光により橙色が照射されるように、赤色ＬＥＤ５１Ｒ〜５５Ｒ、緑色ＬＥＤ５１Ｇ〜５５Ｇ、青色ＬＥＤ５１Ｂ〜５５Ｂの発光量を設定する。
【００５０】
しかる後に、ユーザが撮影したい被写体にレンズ３を向けてシャッターキー８を操作すると、前述のステップＳ５２で設定された発光量で赤色ＬＥＤ５１Ｒ〜５５Ｒ、緑色ＬＥＤ５１Ｇ〜５５Ｇ、青色ＬＥＤ５１Ｂ〜５５Ｂが発光動作して、二回目の撮影、発光がなされる（ステップＳ５３）。次いで、撮影処理が実行されて（ステップＳ５４）、赤色ＬＥＤ５１Ｒ〜５５Ｒ、緑色ＬＥＤ５１Ｇ〜５５Ｇ、青色ＬＥＤ５１Ｂ〜５５Ｂが発光している状態で、撮像した画像をフラッシュメモリ２８に保存する。
【００５１】
したがって、この予備撮影モードによれば、周囲に存在する壁等の物体の色に近似する色の発光を行うことができ、例えば、ステップＳ５１の一回目の撮影で蛍光灯を撮影することにより、ステップＳ５３では蛍光灯の発光色と同一色あるいは近似色をＬＥＤ群５から発光させることができる。よって、屋外で撮影しても、蛍光灯のある室内で撮影したかの如く表現された画像を撮影することができる。また、マニュアルモードでの設定では困難な中間色発光も自動設定することができ、容易に微妙な色の発光設定が可能となる。
【００５２】
なお上記の各モードにおいて、画像を保存した後の次の撮影は、図５（Ａ）〜（Ｂ）に示すメニュー画面で変更をしない限り前回と同じ設定で撮影が行われる。
【００５３】
なお、本実施の形態においては、赤色ＬＥＤ５１Ｒ〜５５Ｒ、緑色ＬＥＤ５１Ｇ〜５５Ｇ、青色ＬＥＤ５１Ｂ〜５５Ｂを５個ずつ水平方向に直線的に配置するようにしたが、ＬＥＤ群５を構成するＬＥＤの配置形態や個数はこれに限ることなく、撮影時に必要な光量が得られれば、他の配置形態及び個数であってもよく、また、赤、青、緑のＬＥＤは同数である必要もない。
【図面の簡単な説明】
【００５４】
【図１】本発明の一実施の形態に係る電子スチルカメラの正面図である。
【図２】同平面図である。
【図３】同背面図である。
【図４】同電子スチルカメラの回路構成を示すブロック図である。
【図５】同電子スチルカメラの表示遷移図である。
【図６】同電子スチルカメラにおける処理手順を示すゼネラルフローチャートである。
【図７】マニュアルモードの詳細手順を示すフローチャートである。
【図８】撮影シーン対応モードの詳細手順を示すフローチャートである。
【図９】撮影画像対応モードの詳細手順を示すフローチャートである。
【図１０】予備撮影モードの詳細手順を示すフローチャートである。
【符号の説明】
【００５５】
１  電子スチルカメラ
２  カメラ本体
３  レンズ
５  ＬＥＤ群
６  撮影ダイアル
７  電源／ファンクションスイッチ
８  シャッターキー
９  コントロールパネル
１１  メニューキー
１２  カーソルキー
１３  セットキー
１６  ＴＦＴ液晶モニター
１７  ＣＣＤ
１９  ＭＰＵ
２８  フラッシュメモリ
２９  ＭＲＯＭ
３１  操作キー部
５１Ｂ〜５５Ｂ  青色ＬＥＤ
５１Ｇ〜５５Ｇ  緑色ＬＥＤ
５１Ｒ〜５５Ｒ  赤色ＬＥＤ
【図１】
2006285274.tif 000003
【図２】
2006285274.tif 000004
【図３】
2006285274.tif 000005
【図４】
2006285274.tif 000006
【図５】
2006285274.tif 000007
【図６】
2006285274.tif 000008
【図７】
2006285274.tif 000009
【図８】
2006285274.tif 000010
【図９】
2006285274.tif 000011
【図１０】
2006285274.tif 000012
【手続補正書】
【提出日】平成18年6月7日(2006.6.7)
【手続補正１】
【補正対象書類名】特許請求の範囲
【補正対象項目名】全文
【補正方法】変更
【補正の内容】
【特許請求の範囲】
【請求項１】
カメラ本体に配置され赤、緑、青の発色光を被写体に照射する複数の発光ダイオードからなる発光手段と、
前記カメラ本体に設けられている撮像手段により、前記複数の発光ダイオードの発光量を設定するための予備撮影を行う予備撮影手段と、
前記予備撮影手段により撮影された画像の色と同色または近似色を発光させるための前記複数の発光ダイオードの発光量を設定する設定手段と、
この設定手段により設定された発光量に従って、撮影時における前記複数の発光ダイオードの発光量を制御する制御手段とを備えることを特徴とするカメラ装置。
【請求項２】
カメラ本体に配置され赤、緑、青の発色光を被写体に照射する複数の発光ダイオードからなる発光手段を制御する発光制御方法であって、
前記カメラ本体に設けられている撮像手段により、前記複数の発光ダイオードの発光量を設定するための予備撮影を行う予備撮影ステップと、
前記予備撮影ステップにより撮影された画像の色と同色または近似色を発光させるための前記複数の発光ダイオードの発光量を設定する設定ステップと、
この設定ステップで設定された発光量に従って、撮影時における前記複数の発光ダイオードの発光量を制御する制御ステップと、を含むことを特徴とするカメラ装置における発光制御方法。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項１記載の発明にあっては、カメラ本体に配置され赤、緑、青の発色光を被写体に照射する複数の発光ダイオードからなる発光手段と、前記カメラ本体に設けられている撮像手段により、前記複数の発光ダイオードの発光量を設定するための予備撮影を行う予備撮影手段と、前記予備撮影手段により撮影された画像の色と同色または近似色を発光させるための前記複数の発光ダイオードの発光量を設定する設定手段と、この設定手段により設定された発光量に従って、撮影時における前記複数の発光ダイオードの発光量を制御する制御手段とを備える。したがって、入力操作による設定では困難な中間色発光も自動設定することができる。
【手続補正１１】
【補正対象書類名】明細書
【補正対象項目名】００１５
【補正方法】変更
【補正の内容】
【００１５】
また、請求項２記載の発明にあっては、カメラ本体に配置され赤、緑、青の発色光を被写体に照射する複数の発光ダイオードからなる発光手段を制御する発光制御方法であって、前記カメラ本体に設けられている撮像手段により、前記複数の発光ダイオードの発光量を設定するための予備撮影を行う予備撮影ステップと、前記予備撮影ステップにより撮影された画像の色と同色または近似色を発光させるための前記複数の発光ダイオードの発光量を設定する設定ステップと、この設定ステップで設定された発光量に従って、撮影時における前記複数の発光ダイオードの発光量を制御する制御ステップと、を含む。したがって、記載したステップでＭＰＵ等に処理を実行させることにより、請求項１に記載した発明と同様の効果を得ることが可能となる。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
また、複数の発光ダイオードの発光量を設定するための予備撮影を行い、予備撮影した画像の色と同色または近似色を発光させるための複数の発光ダイオードの発光量を設定するようにしたことから、入力操作による設定では困難な中間色発光も自動設定することができ、容易に微妙な色の発光設定が可能となる。